(57)【要約】【課題】金属製カバーによりパネルに対する係合箇所を破壊され難いこと、取付操作性を損なうことなく係合固定力を確実に維持可能にすることにある。【解決手段】パネルの取付孔７ａに装着されるクリップ４において、パネル表面側に配置されるフランジ部１０、該フランジ部下面に突設されて取付孔に仮止め可能に挿通される複数の弾性脚１５、フランジ部１０を貫通して弾性脚同士の間の隙間に連通している開口１４を有した雌部材１と、開口を覆う大きさの操作部２０、該操作部下面に突設された差込部２５を有し、該差込部が開口１４から隙間に挿入保持された状態で各弾性脚１５が互いに接近する方向への変形を阻止可能にする雄部材２と、雌部材に嵌合された取付状態で弾性脚先端との間に形成される第１空間８ａ及び差込部先端との間に形成されて第１空間より大きな第２空間８ｂを保って弾性脚先端を外側から覆う金属製カバー３とからなる。【選択図】図２
2013204670.tif 000002
【特許請求の範囲】
【請求項１】
パネルに設けられた取付孔に装着されるクリップにおいて、
前記パネルの表面側に配置されるフランジ部、及び前記フランジ部の下面に突設されて前記取付孔に仮止め可能に挿通される複数の弾性脚、並びに前記フランジ部を貫通して前記弾性脚同士の間の隙間に連通している開口を有した雌部材と
前記開口を覆う大きさの操作部、及び前記操作部の下面に突設された差込部を有し、前記差込部が前記開口から前記隙間に挿入保持された状態で前記各弾性脚が互いに接近する方向への変形を阻止可能にする雄部材と、
前記雌部材に嵌合された取付状態で前記弾性脚の先端との間に形成される緩衝用の第１空間及び前記差込部の先端との間に形成されて前記第１空間より大きな緩衝用の第２空間を保って、前記弾性脚の先端を外側から覆う金属製カバーと
からなることを特徴とするクリップ。
【請求項２】
前記雄部材は、前記差込部が前記雌部材の前記隙間に挿入保持された状態で、前記金属製カバーに対して非接触となっていることを特徴とする請求項１に記載のクリップ。
【請求項３】
前記金属カバー製は、前記雌部材に嵌合された取付状態で前記パネルと非接触となっていることを特徴とする請求項１又は２に記載のクリップ。
【請求項４】
前記差込部は、前記開口から前記弾性脚同士の隙間に挿入されて途中の仮止め位置で抜け止め保持する第１係合爪と、更に最終の本止め位置で抜け止め保持する第２係合爪とを有している特徴とする請求項１から３の何れかに記載のクリップ。
【請求項５】
前記雌部材は前記開口の両側に対向している一対の前記弾性脚、及び前記開口の前後の一方に設けられている弾性補強脚、並びに前記弾性補強脚に設けられて傾斜した誘い部付きのガイドリブを有しているとともに、前記差込部は前記ガイドリブと摺動可能に嵌合する溝を有していることを特徴とする請求項１から４の何れかに記載のクリップ。
【請求項６】
前記金属製カバーは、前記弾性補強脚に設けられた爪部と嵌合する嵌合孔、及び前記各弾性脚に設けられた凹所と嵌合する爪を有していることを特徴とする請求項１から５の何れかに記載のクリップ。
【発明の詳細な説明】
【技術分野】
【０００１】
本発明は、パネルに設けられた取付孔に装着される物品支持用として好適なクリップに関する。
【背景技術】
【０００２】
図９は特許文献１に開示のクリップ構造を示している。この構造は、特にパネルへの取付操作性を良好にしたものであり、ベース部材１１と、ベース部材１１に組み付けられる金属製のクリップ２１と、ベース部材１１にクリップ２１を一体化する係合部材３１とからなる。
【０００３】
ここで、ベース部材１１は、パネル６１に沿って配置される鍔部１５付きのベース部１２、ベース部１２の裏面側に突出されてパネル６１の取付孔（係止孔）６１ａに挿入される突出部１３、ベース部１２の表面側に設けられてアシストグリップ４１を支持する支持壁部１６、ベース部１２を貫通している対の貫通孔とを有している。クリップ２１は、概略Ｕ形状からなり、ベース部材１１に対し前記貫通孔から挿通されて裏側より表側へ突出される第１係合部２３，２３、パネルの取付孔６１ａに係合される第２係合部２４、各第１係合部２３のベース部材表側へ突出した部分に設けられ、挿入方向と直交する方向の貫通孔２３ａ、ベース部材の突出部１３を挿入する基部側の貫通孔とを有している。係合部材３１は、貫通孔２３ａへ挿入されてベース部材１１に対するクリップ２１の抜けを阻止する係合部３２、及びベース部材の表側を覆うカバー３３、並びに取り外し操作部３５とを有している。
【先行技術文献】
【特許文献】
【０００４】
【特許文献１】特許第４１０６３０７号公報
【発明の概要】
【発明が解決しようとする課題】
【０００５】
上記特許文献１の構造では、ベース部材１１が係合部材３１を介して一体化したクリップ２１によりパネル６１に対し取付孔６１ａへの押し操作によって係合固定され、取付工具や治具を必要としないため取付操作性に優れている。また、金属製のクリップを使用しているため用途例として車両のエアバックの爆発に起因した衝撃や路面側からの飛び石などによる衝撃を受けても破壊され難い点、カバー３３がクリップ側第１係合部２３を覆うため見栄えを維持できる点などの利点もある。
【０００６】
しかし、この構造では、まず、パネル側取付孔に対する係合固定力は、第１係合部２３の一部を切り起こした第２係合部２４である弾性片の傾斜角度などに比例するため、傾斜角度を変えて係合固定力を大きくすると、取付孔への挿入力も過大となり取付操作性が損なわれる。また、クリップ２１がベース部材１１に装着された状態でパネル側取付孔６１ａに第２係合部２４である錨状の弾性片を挿入して係合するため、パネルに対し仮止めする構成を追加し難い。
【０００７】
本発明の目的は、以上のような課題を解消して、特許文献１と同じく取付操作性に優れ、金属製カバーによりパネルに対する係合箇所を破壊され難いという利点に加え、取付操作性を損なうことなく係合固定力を確実に維持可能にすることにある。他の目的は以下の内容説明のなかで明らかにする。
【課題を解決するための手段】
【０００８】
上記目的を達成するため本発明は、形態例を参考にして特定すると、パネル７に設けられた取付孔７ａに装着されるクリップ４において、前記パネルの表面側に配置されるフランジ部１０、及び前記フランジ部の下面に突設されて前記取付孔に仮止め可能に挿通される複数の弾性脚１５、並びに前記フランジ部１０を貫通して前記弾性脚１５同士の間の隙間に連通している開口１４を有した雌部材１と、前記開口１４を覆う大きさの操作部２０、及び前記操作部の下面に突設された差込部２５を有し、前記差込部が前記開口１４から前記隙間に挿入保持された状態で前記各弾性脚１５が互いに接近する方向への変形を阻止可能にする雄部材２と、前記雌部材１に嵌合された取付状態で前記弾性脚１５の先端との間に形成される緩衝用の第１空間８ａ及び前記差込部２５の先端との間に形成されて前記第１空間より大きな緩衝用の第２空間８ｂを保って、前記弾性脚１５の先端を外側から覆う金属製カバー３とからなることを特徴としている。
【０００９】
以上の本発明は、請求項２〜６で特定したように具体化されることがより好ましい。
（ア）、前記雄部材２は、前記差込部２５が前記雌部材の前記隙間に挿入保持された状態で、前記金属製カバー３に対して非接触となっている構成である（請求項２）。
（イ）、前記金属製カバーは、前記雌部材に嵌合された取付状態で前記パネルと非接触となっている構成である請求項３）。
【００１０】
（ウ）、前記差込部２５は、前記開口１４から前記弾性脚１５同士の隙間に挿入されて途中の仮止め位置で抜け止め保持する第１係合爪２８と、更に最終の本止め位置で抜け止め保持する第２係合爪２９とを有している構成である（請求項４）。
（エ）、前記雌部材１は前記開口の両側に対向している一対の前記弾性脚１５、及び前記開口の前後側の一方に設けらている弾性補強脚１６、並びに前記弾性補強脚に設けられて傾斜した誘い部付きのガイドリブ１９を有しているとともに、前記差込部２５は前記ガイドリブと摺動可能に嵌合する溝２６を有している構成である（請求項５）。
（オ）、前記金属製カバー３は、前記弾性補強脚に設けられた爪部１６ａと嵌合する嵌合孔３８、及び前記各弾性脚１５に設けられた凹所１５ａと嵌合する爪３７を有してい構成である（請求項６）。
【発明の効果】
【００１１】
請求項１の発明では、図２に例示されるごとく、雌部材が雄部材を開口に挿入した状態で、パネルに対して弾性脚を取付孔に挿入し係合した後、その係合状態で、雄部材が押し込み操作されて、差込部が弾性脚同士の間の隙間に挿入保持されると、各弾性脚が互いに接近する方向への変形を阻止され、それにより解除不能に係合固定されるため、特許文献１に対し次のような点で優れている。
（１）この構造では、取付操作性を損なうことなく係合固定力を確実に増大できる。
（２）同時に、図２及び図３の各（ｂ）のごとく、カバーが弾性脚先端との間に形成している第１空間及び差込部先端との間に形成している第２空間を形成しているため、例えばカバー被覆部に飛び石などが当たったときにそれらの空間の緩衝作用により、衝撃を吸収して弾性脚などを破壊され難くできる。
（３）同時に、第２空間が第１空間に比べ大きいため、衝撃で変形するカバーから受けるダメージとして、差込部（雄部材）の方が弾性脚よりも損傷を受け難く、それにより衝撃に起因した抜け落ちや外れなどをより確実に阻止できる。
【００１２】
請求項２の発明では、雄部材が差込部を雌部材の隙間に挿入保持した状態で金属製カバーに非接触となっているため、カバーが衝撃などで変形しても、該変形に起因して雄部材に与える損傷を小さく抑えることができる。
【００１３】
請求項３の発明では、金属製カバーが雌部材に対して嵌合された取付状態でパネルと非接触となっているため、そのメタルタッチつまり金属同士が当接することに起因した擦り傷や異音の発生などを生じないようにする。
【００１４】
請求項４の発明では、雄部材が雌部材に対して第１係合爪を介して仮組付けされた状態でクリップ（雌部材）をパネルの取付孔に挿入し仮保持することも可能なため、パネルへの取付作業手順を改善でき、引いては取付操作性も向上できる。
【００１５】
請求項５の発明では、雌部材が対向している一対の弾性脚と共に弾性補強脚を有しているため、例えば、カバーと嵌合する箇所を増やして嵌合強度を向上し易くなる。また、雄部材が図２に示されるごとく雌部材に対し誘い部に沿って挿入されたり溝をガイドリブに嵌合した状態で挿入されるため安定した操作性が維持される。
【００１６】
請求項６の発明では、カバーが弾性補強脚に設けられた爪部と嵌合する嵌合孔、と各弾性脚に設けられた凹所と嵌合する爪を有しているため、雌部材に対するカバーの嵌合強度を向上できる。
【図面の簡単な説明】
【００１７】
【図１】形態例のクリップをパネルの取付孔に仮止めした状態を示し、（ａ）は側面図、（ｂ）はパネルの下面側より見た図である。
【図２】（ａ）と（ｂ）は上記クリップをパネルの取付孔に仮止めした状態と本止めした状態とを上記図１（ｂ）のＡ−Ａ線に沿って示した断面図である。
【図３】（ａ）と（ｂ）は上記クリップをパネルの取付孔に仮止めした状態と本止めした状態とを上記図１（ａ）のＢ−Ｂ線に沿って示した模式断面図である。
【図４】上記クリップの構成部材を示す概略分解斜視図である。
【図５】上記雌部材単品を示し、（ａ）は側面図、（ｂ）は（ａ）の左側より見た図（上面図）、（ｃ）は（ａ）の右側より見た図（下面図）である。
【図６】（ａ）は上記雌部材を上から見た図（上面図）、（ｂ）は図５（ａ）のＣ−Ｃ線断面図、（ｃ）は（ａ）のＤ−Ｄ線断面図である。
【図７】上記雄部材単品を示し、（ａ）は側面図、（ｂ）は下面図、（ｃ）は（ａ）のＥ方向から見た図（下面図）、（ｄ）は（ａ）のＦ−Ｆ線断面図である。
【図８】上記金属製カバー単品を示し、（ａ）は側面図、（ｂ）は上面図、（ｃ）は下面図、（ｄ）は（ａ）のＧ方向から見た図（上面図）である。
【図９】特許文献１の構造を示し、（ａ）はクリップの断面図、（ｂ）はパネルに装着した使用状態での側面図である。
【発明を実施するための形態】
【００１８】
以下、本発明の形態例について添付図面を参照しながら説明する。この説明では、クリップの構造、組立、パネルへの取付操作の順で詳述する。
【００１９】
（構造）形態のクリップ４は、図１に示されるごとくパネル７に設けられた矩形状の取付孔７ａに装着されてアシストグリップ５などを回動可能に支持するものであり、樹脂製の雌部材１及び雄部材２並びに金属製のカバー３の３点構成からなる。
【００２０】
各部材は次のような概略構成からなる。まず、雌部材１は、パネル７の表面側に配置される略矩形のフランジ部１０と、フランジ部１０を貫通している開口１４と、フランジ部１０の上面に突設されてアシストグリップ５などを枢軸６を介して支持する支持壁部１１と、フランジ部１０の下面に突設された複数（この例では２つ）の弾性脚１５及び単一の弾性補強脚１６とを有している。雄部材２は、開口１４を覆う操作部２０と、操作部２０の下面に突設された差込部２５とを有し、差込部２５が開口１４から弾性脚１５同士の間の隙間Ｓに挿入し保持された状態で、各弾性脚１５の互いに接近する方向への変形を阻止可能にする。カバー３は、被覆部３０〜３２と、両側の被覆部３１から延設されてフランジ部１０側に当接する折返し片部３３，３４とを有している。以下、各部材の細部を明らかにする。
【００２１】
ここで、雌部材１を図４〜図６を参照して説明する。フランジ部１０の上面には、支持壁部１１の内側に突出された側壁１２及び開口１４の一回り外側を縁取っている枠状の周側面１２ａと、周側面１２ａの内側にあって開口１４の両側に対向して突出されているガイド突起１３とが設けられている。各ガイド突起１３は、概略逆Ｌ形状からなり、上側を開口１４上に突出した状態で、図６（ｃ）のごとく側面視で傾斜している。
【００２２】
なお、支持壁部１１は、側壁１２の両側にあって同軸線上に設けられた軸孔１１ａを有している。そして、この例では、パネル７に係合固定される２つのクリップ４に対し、図２に模式的に示したごとくアシストグリップ５が各軸孔１１ａに挿通される枢軸６を介して回動可能に枢支される（この支持構造は特許文献１や特開２００２−２２５６１３号公報などを参照）。
【００２３】
フランジ部１０の下面には、開口１４のうち両側に突設されて対向している一対の弾性脚１５と、各弾性脚１５の一方側部に対向して突設されている弾性補強脚１６と、弾性補強脚１６の外側及び各弾性脚１５の他方側部にそれぞれ突設されている突当部１７,１８とが設けられている。各弾性脚１５は、図６（ｂ）のごとくガイド突起１３と連続して設けられて、図５（ａ）のごとく先端側にあって突当部１７側の側面に設けられた係合用凹所１５ａ、及びその隣に設けられた係合部１５ｂを有している。係合部１５ｂは取付孔７ａの孔縁に弾性係合される箇所である。凹部１５ａはカバー３に嵌合される箇所である。
【００２４】
弾性補強脚１６は、 外面の中間部を浅い窪み部に形成し該窪み部の上両側に設けられた対の爪部１６ａと、内面（弾性脚１５と対向する側）の左右中間にあって先端から開口側へ延びるガイドリブ１９とを有している。各爪部１６ａはカバー３に嵌合される箇所である。ガイドリブ１９は傾斜した誘い部１９ａに連続している。誘い部１９ａは、図６（ｃ）のごとくのガイド突起１３とほぼ同じ傾斜角となっている。突当部１７,１８は開口１４を挟んで平行に配置されている。突当部１７は、開口１４の対応縁部に沿っており、左右端側を除いた中間部を一段低い段差１７ａに形成している。突当部１８は、弾性補強脚１６と平行であり、中間部を一段低い段差１８ａに形成し、かつ該段差１８ａが前記した弾性補強脚１６の窪み部に連結されている。そして、この例では、雌部材１が図２及び図３のごとくパネルの取付孔７ａに係合した状態で、突当部１７,１８がパネル７の表面に当接される。
【００２５】
そして、以上の雌部材１は、図２及び図３の各（ａ）のごとく雄部材２を仮止め保持した状態で、各弾性脚１５がパネルの取付孔７ａに対して、縮径しつつ挿通され、挿通と同時に元の形状に復元されことにより係合部１５ｂが孔縁に係合する。雌部材１は、その仮止め状態から、雄部材２が図２及び図３の各（ｂ）のごとく更に押し操作されて、差込部２５が弾性脚１５同士の間に圧入されると、各弾性脚１５同士が縮径方向に変形不能となる本止め状態に切り換えられる。
【００２６】
次に、雄部材２を図４及び図７を参照して説明する。操作部２０は、差込部２５の頭部に相当し、前記枠状周側面１２ａの内側に収まる大きさとなっている。 差込部２５は、概略舌状からなり、外側面に設けられて操作部２０の少し手前から先端付近まで延びている溝２６及びその溝２６の両側に略平行に延びている溝２７と、反対側である内側面の幅中間に設けられて操作部２０から先端まで延びている中間リブ２１、及び中間リブ２１の両側面に一体化された片部２２と有している。
【００２７】
このうち、溝２６はガイドリブ１９と嵌合される。中間リブ２１は、雌部材１に対しガイド突起１３同士の間の隙間に沿って摺動可能に配置される。その際、各ガイド突起１３は、差込部２５と各片部２２との間に形成される空間部２３にて逃がされる。また、中間リブ２１の両側面には、前側寄りの箇所に突出した第１係合爪２８と、後側寄りの箇所に突出した第２係合爪２９とが設けられている。第１係合爪２８は図３（ａ）のごとく雄部材２を雌部材１に仮組み付け可能にし、第２係合爪２９は図３（ｂ）のごとく雄部材２を雌部材１に本止め可能にする。
【００２８】
次に、カバー３を図２と図４及び図８を参照して説明する。カバー３は、ブレス品であり、各弾性脚１５及び弾性補強脚１６の先端面側を覆う底面側被覆部３０と、各弾性脚１５及び弾性補強脚１６の前後面側を覆う前後面側被覆部３１と、各弾性脚１５及び弾性補強脚１６の両端面側を覆う両端側被覆部３２と、各被覆部３１を上向きに延長した折返し片部３３,３４とを有している。
【００２９】
両側の被覆部３１のうち、一方には弾性補強脚の各爪部１６ａと嵌合する対の嵌合穴３８と、他方にはスリット３７ａを介して区画されると共に折り曲げられて弾性脚の各凹所１５ａと嵌合する爪３７とが設けられている。折返し片部３３は、先端３３ａが突当部１８の段差１８ａに位置決め係合された状態で当接される。折返し片部３４は、先端３４ａが突当部１７の段差１７ａに位置決め係合された状態で当接される。
【００３０】
（組立）以上の各部材は、以下に例示するような手順により、図１〜図３の各（ａ）の仮組み付け状態に組み付けられて一体物のクリップ４として取り扱われる。この組立では、雌部材１に対してカバー３と雄部材２とが共に組み付けられる。ここでは、雌部材１に対してカバー３を組み付けてから、雄部材２を組み付ける例で述べる。但し、雌部材１に対し雄部材２を組み付けた後、カバー３を後で組み付けることも可能である。
【００３１】
カバー３の組み付けでは、被覆部３０〜３２の内側に両弾性脚１５及び弾性補強脚１６を収容し、かつ、各折返し片部の先端３３ａ,３４ａを対応する突当部の段差１８ａ,１７ａに当接する。すると、両側の被覆部３１は、一方側の各嵌合孔３８が弾性補強脚の対応する爪部１６ａと嵌合し、他方側の各爪３７が対応する弾性脚の凹所１５ａと嵌合する。その結果、カバー３は、雌部材１に対し段差１７ａ，１８ａにより位置決めされ、かつ、複数箇所の嵌合により確実に一体化される。
【００３２】
雄部材２の組み付けでは、中間リブ２１が開口１４にあってガイド突起１３同士の隙間に入るようにし、かつ、溝２６が誘い部２９ａからガイドリブ２９に嵌合されるようにして、差込部２５が開口１４から隙間Ｓに押入される。すると、差込部２５は、図３（ａ）のごとく雌部材１の開口１４に挿入される初期過程で、中間リブの第１係合爪２８がガイド突起１３同士の間を弾性変位しつつ押入され、通過と同時に元の形状に復元して抜け止めつまり雌部材１に仮組み付けされる。
【００３３】
（パネルへの取付操作）以上のようにして仮組み付けされたクリップ４は、図２及び図３の各（ａ）ごとくパネル７に対してワンタッチ操作により仮止めされ、かつ各（ｂ）のごとくワンタッチ操作により仮止め状態から本止めに切り換えられる。すなわち、上記仮組み付けされたクリップ４は、雌部材１の各弾性脚１５がパネル７に対して、互いに接近する方向に変位しながら取付孔７ａを通過し、完全に通過すると復元されて、係合部１５ｂが取付孔７ａの孔縁に係合ないしは係止されて仮止めされる。この状態において、パネル７は、図３（ｂ）の拡大図のごとく突当部１８と係合部１５ｂとの間に挟持されている。金属製カバー３は、図２（ｂ）の拡大図のごとく各折返し片部の先端３３ａ，３４ａが対応する突当部側段差１８ａ，１７ａ内に入っているため、パネル７に対して非接触となっている。この結果、この構造では、金属製パネル７と金属製カバー３は、直に接触つまりメタルタッチしていないため金属同士が当接することに起因した擦り傷や異音の発生なども生じない。
【００３４】
また、作業者は、以上の仮止め状態から、操作部２０を図２及び図３（ａ）の矢印方向へ押すと、差込部２５が同（ｂ）のごとく操作部２０が開口１４を閉じる最終段階まで同方向へ移動されて本止め状態に切り換えられる。この過程では、差込部２５が誘い部１９ａの傾斜に沿って、かつガイドリブ１９に対する溝１６の嵌合を伴ってスムースに移動される。本止め状態では、差込部２５の先端部が弾性脚１５同士の間の隙間Ｓに押入される。この押入において、第２係合爪２９は、ガイド突起１３同士の間を弾性変位しつつ押入され、通過と同時に元の形状に復元して抜け止めつまり本止めする。よって、この構造では、両弾性脚１５が互いに接近する方向への変位を阻止され、それにより取付孔７ａに対する係合部１５ｂの係合が確実に維持され、係合固定力を増大できる。
【００３５】
また、金属製カバー３は、両弾性脚１５及び弾性補強脚１６の少なくとも先端側を覆って保護し、かつ図２及び図３の各（ｂ）のごとく弾性脚１５及び弾性補強脚１６の先端との間に空間８を保っている。すなわち、この構造では、カバー３が弾性脚１５の先端との間に形成している第１空間８ａ及び差込部２５の先端との間に形成している第２空間８ｂを保っているため、例えばカバーの被覆部３０〜３２に飛び石などが当たって変形したときに、それらの空間８ａ,８ｂの緩衝作用により衝撃を吸収して各部を破壊され難くできる。この場合、この構造では、第２空間８ｂが第１空間８ａに比べ大きくなっているため、衝撃で変形するカバー３から受けるダメージとして、雄部材側の差込部２５の方が雌部材側の弾性脚１５よりも損傷を受け難く、それにより衝撃に起因した雄部材２の外れや抜け落ちなどをより確実に阻止できる。
【００３６】
なお、本発明のクリップは、請求項で特定される構成を備えておればよく、細部は形態例を参考にして変更可能なものである。その例としては、雌部材の支持壁部にはアシストグリップ以外の物品や部材を支持したりカバーの被覆部形状を変更することである。
【符号の説明】
【００３７】
１・・・雌部材（１０はフランジ部、１４は開口、１５は弾性脚、１６弾性補強脚）
２・・・雄部材（２０は操作部、２１は中間リブ、２３は空間部）
３・・・カバー（３０〜３２は被覆部、３３と３４は折返し片部、３７は爪）
４・・・クリップ
７・・・パネル（７ａは取付孔）
８・・・空間（８ａは第１空間、８ｂは第２空間）
１５・・・弾性脚（１５ａは凹所、１５ｂは係合部）
１６・・・弾性補強脚（１６ａは爪部）
１７，１８・・・突当部（１７ａ，１８ａは段差）
１９・・・ガイドリブ（１９ａは誘い部）
２１・・・中間リブ（２８は第１係合爪、２９は第２係合爪）
２５・・・差込部（２６と２７は溝）
３８・・・嵌合孔
【図１】
2013204670.tif 000003
【図２】
2013204670.tif 000004
【図３】
2013204670.tif 000005
【図４】
2013204670.tif 000006
【図５】
2013204670.tif 000007
【図６】
2013204670.tif 000008
【図７】
2013204670.tif 000009
【図８】
2013204670.tif 000010
【図９】
2013204670.tif 000011